(57)【特許請求の範囲】
【請求項１】
本体前面にカッタを備えるとともに、このカッタの周面から突出可能なコピーカッタを備えるシールド機であって、
前記コピーカッタを突出させて掘削される拡幅用空洞部に対し、本体周面から突出して前記拡幅用空洞部をシールド機の掘進方向に対して前後に遮断可能とする可動遮断壁を備え、
さらに、前記可動遮断壁の内部に当該壁の前面の全面へ高圧水を噴射できる注入口を備えることを特徴とする記載のシールド機。
【請求項２】
前記可動遮断壁より前方の本体周面に高圧水注入口を備えることを特徴とする請求項１に記載のシールド機。
【請求項３】
前記可動遮断壁の直後の本体周面に充填材注入口を備えることを特徴とする請求項１または２に記載のシールド機。
【請求項４】
シールド機の前面のカッタによる掘進と並行してカッタ周面からコピーカッタを突出させて拡幅用空洞部を掘削するシールドトンネルの拡幅部構築方法であって、
シールド機の周面から遮断壁を突出させて前記拡幅用空洞部をシールド機の掘進方向に対して前後に遮断した状態で、前記シールド機により掘進しながら前記コピーカッタにより前記拡幅用空洞部を掘削するとともに、
前記遮断壁の前面から前記拡幅用空洞部に高圧水を注入することを特徴とするシールドトンネルの拡幅部構築方法。
【請求項５】
前記遮断壁より前方において、シールド機の本体周面から前記拡幅用空洞部に高圧水を注入することを特徴とする請求項４に記載のシールドトンネルの拡幅部構築方法。
【請求項６】
前記遮断壁の直後において、シールド機の本体周面から前記拡幅用空洞部に充填材を注入することを特徴とする請求項４または５に記載のシールドトンネルの拡幅部構築方法。
【発明の詳細な説明】
【技術分野】
【０００１】
本発明は、道路トンネルにおける合流部・分岐部などのトンネル断面に拡幅部を備えるトンネルを構築するために用いるシールド機と、そのシールド機を用いて行うシールドトンネルの拡幅部構築方法に関する。
【背景技術】
【０００２】
本出願人は、本体周面から突出可能な拡幅用カッタを備えるシールド機を用いて、トンネル断面に拡幅部を構築する技術を提案した（特許文献１参照）。
【特許文献１】特開２００５−５４５２８号公報
【発明の開示】
【発明が解決しようとする課題】
【０００３】
シールド機において、前面に備えられるカッタの他に新たに拡幅用カッタを装備することは、場合によっては、コスト高を招いてしまう。
そこで、シールド機の前面カッタの周囲に備えられる曲線部余掘り用のコピーカッタを用いて拡幅用空洞部を掘削することが考えられる。ここで、コピーカッタは、本来、シールド機の曲線施工用のために地山を乱し、シールド機を曲線なりに寄りつき易くする目的で備えられているものであり、大きく突出して掘削できるが、掘削土をシールド機のチャンバーへ取り込む機能は有していない。
よって、例えば泥水式シールドの場合、コピーカッタで拡幅用空洞部を掘削すると、掘削土を含む泥水の排泥が困難であること、泥土圧式シールドの場合も、掘削土のチャンバへの取り込み、排土が困難であることが想定できる。また、地山崩壊の防止の観点から、コピーカッタで掘削した拡幅用空洞部に充填材を充填することが考えられるが、カッタと拡幅用空洞部は当該掘削により連通しており、充填材がカッタ側へ回り込むと、掘削用泥水の性状を変化させ、本来の掘削排土に影響を与えることになってしまう。
【０００４】
本発明の課題は、コピーカッタで拡幅用空洞部を掘削しながら、掘削土を含む泥水の排泥や掘削土の排土を可能とすることと、シールド掘削用の泥水と拡幅用空洞部の充填材の混合を防止することである。
【課題を解決するための手段】
【０００５】
以上の課題を解決するため、請求項１に記載の発明は、本体前面にカッタを備えるとともに、このカッタの周面から突出可能なコピーカッタを備えるシールド機であって、前記コピーカッタを突出させて掘削される拡幅用空洞部に対し、本体周面から突出して前記拡幅用空洞部をシールド機の掘進方向に対して前後に遮断可能とする可動遮断壁を備えることを特徴とする。
【０００６】
さらに、請求項１に記載の発明は、前記可動遮断壁の内部に当該壁の前面の全面へ高圧水を噴射できる注入口を備えることを特徴とする。
【０００７】
請求項２に記載の発明は、請求項１に記載のシールド機であって、前記可動遮断壁より前方の本体周面に高圧水注入口を備えることを特徴とする。
【０００８】
請求項３に記載の発明は、請求項１または２に記載のシールド機であって、前記可動遮断壁の直後の本体周面に充填材注入口を備えることを特徴とする。
【０００９】
請求項４に記載の発明は、シールド機の前面のカッタによる掘進と並行してカッタ周面からコピーカッタを突出させて拡幅用空洞部を掘削するシールドトンネルの拡幅部構築方法であって、シールド機の周面から遮断壁を突出させて前記拡幅用空洞部をシールド機の掘進方向に対して前後に遮断した状態で、前記シールド機により掘進しながら前記コピーカッタにより前記拡幅用空洞部を掘削することを特徴とする。
【００１０】
さらに、請求項４に記載の発明は、前記遮断壁の前面から前記拡幅用空洞部に高圧水を注入することを特徴とする。
【００１１】
請求項５に記載の発明は、請求項４に記載のシールドトンネルの拡幅部構築方法であって、前記遮断壁より前方において、シールド機の本体周面から前記拡幅用空洞部に高圧水を注入することを特徴とする。
【００１２】
請求項６に記載の発明は、請求項４または５に記載のシールドトンネルの拡幅部構築方法であって、前記遮断壁の直後において、シールド機の本体周面から前記拡幅用空洞部に充填材を注入することを特徴とする。
【発明の効果】
【００１３】
本発明によれば、コピーカッタで掘削する拡幅用空洞部を、シールド機周面から突出する遮断壁によりシールド機の掘進方向に対して前後に遮断した状態で、掘進しながら掘削していくため、遮断壁から前方の掘削土を含む泥水や掘削土をシールド機のチャンバに送り込んで、排泥や排土が確実に行える。そして、コピーカッタで掘削されたが、チャンバに取り込まれなかった掘削土が遮断壁から後方にこぼれることなく、かつ当該壁に配置された注入口より噴射された高圧水によりいずれカッタに回り込むことが期待できるため、確実な空洞部の形成ができる。また、当該壁の存在により当該壁の後方に充填された充填材がカッタ側に回り込むことを防止でき、シールド掘進に影響を与えない。
【発明を実施するための最良の形態】
【００１４】
以下、図を参照して本発明を実施するための最良の形態を詳細に説明する。
図１及び図２は本発明を適用した一実施形態の構成を示すもので、シールド機は、図示のように、本体周面のスキンプレート１、隔壁２、前面のカッタ支持面板３、チャンバ４、カッタ５、拡幅用コピーカッタ６、カッタ駆動用電動モータ７、コピーカッタ駆動装置８、シールドジャッキ９、中折れジャッキ１０、スクリューコンベヤ１１、テールシール１２、エレクタ装置１３、後方作業台１４、セグメント形状保持装置１５、連結セグメント押込装置１６、同時裏込め注入管１７、可動遮断壁２１等を備える。なお、チャンバ４には、図示しないアジテータが設けられるとともに、図示しない送泥管及び排泥管が接続されている。
【００１５】
拡幅用コピーカッタ６は、図１では、カッタ支持面板３の後面に直径方向に対向して一対ずつ備えられており、すなわち、カッタ５の回転方向に合わせて両方向に向けてそれぞれ備えられている。この拡幅用コピーカッタ６は、油圧ポンプ及び電動機等により構成されるコピーカッタ駆動装置８によりカッタ支持面板３の周面から突出可能となっている。
そして、拡幅用コピーカッタ６は、図３に示すように、カッタ５の回転に同期して突出量を制御することにより、カッタ５の回転によるシールド機の掘進と同時に、所望の拡幅用空洞部Ｃを掘削することができる。図中、Ｒはカッタ５の回転方向を示している。
【００１６】
可動遮断壁２１は、図２では、隔壁２から後方に離間した位置に配置されてスキンプレート１の開口部から突出可能なもので、所望する掘削位置に予め備えられ、例えば図１に示すように、本体の一側方寄りの上下位置に備えられている。この可動遮断壁２１は、並列一対のジャッキにより構成される遮断壁駆動装置２２によりスキンプレート１の開口部から突出することで、拡幅用コピーカッタ６により掘削された拡幅用空洞部Ｃを前後に遮断可能な外形形状となっている。
そして、可動遮断壁２１の内部に当該壁の前面の全面へ滑材とともに高圧水を噴射できる滑材・ジェット水注入管２３が配設されていて、この滑材・ジェット水注入管２３は可動遮断壁２１の前面に斜め外側に向けて開口している。
【００１７】
さらに、可動遮断壁２１の前方において、スキンプレート１の内部に滑材とともに高圧水を噴射できる複数の滑材・ジェット水注入管２４が配設されていて、これら滑材・ジェット水注入管２４はスキンプレート１から斜め前方に向けて開口している。そのうち前側の滑材・ジェット水注入管２４は拡幅用コピーカッタ６の直後に向けて開口している。
【００１８】
また、可動遮断壁２１の直後において、スキンプレート１の内部に充填材注入管２５が配設されていて、この充填材注入管２５はスキンプレート１に対し任意の角度を有し、図示例では直角に位置して開口している。
【００１９】
次に、以上のシールド機によるトンネルの例えば合流部・分流部等の構築手順を説明する。
まず、通常は前面のカッタ５によりトンネルを掘進していくとともに、後側のエレクタ装置１３により図示しないセグメントを組立ててセグメントリングをもってトンネルを覆工していく。
そして、任意の所望する施工開始時点に達すると、前面のカッタ５による掘進は継続するとともに、拡幅用コピーカッタ６を上下に同期して突出動作させることで、地山に上下の拡幅用空洞部Ｃを掘削する。すなわち、図３に示したように、カッタ５の回転に同期して拡幅用コピーカッタ６の突出量を制御することで、カッタ５の回転によるシールド機の掘進と同時に、カッタ５の回転過程で突出制御される拡幅用コピーカッタ６により上下の拡幅用空洞部Ｃを間欠的に掘削して連続形成していく。
【００２０】
以上の拡幅用コピーカッタ６による拡幅用空洞部Ｃの掘削時は、スキンプレート１に開口する滑材・ジェット水注入管２４から滑材・ジェット水を拡幅用空洞部Ｃに注入する。
その後、シールド機の掘進により拡幅用空洞部Ｃに可動遮断壁２１が到達する時点で、上下の可動遮断壁２１をスキンプレート１から同期して突出動作させることで、上下の拡幅用空洞部Ｃを各々の可動遮断壁２１でそれぞれ前後に遮断する。同時に、可動遮断壁２１の前面に開口する滑材・ジェット水注入管２３から滑材・ジェット水を拡幅用空洞部Ｃに注入する。
この結果、拡幅用空洞部Ｃにおいて、可動遮断壁２１で遮断された前方の掘削土を含む泥水はチャンバ４に送り込まれ易くなり、シールド機内のスクリューコンベア１１を通って周知のように排泥される。
【００２１】
また、可動遮断壁２１の直後において、スキンプレート１に開口する充填材注入管２５から充填材を拡幅用空洞部Ｃに注入する。これにより、可動遮断壁２１で遮断された後方の拡幅用空洞部Ｃが充填材で満たされる。
【００２２】
そして、拡幅用コピーカッタ２１による上下の部分拡幅部掘削施工に対応する区間において、エレクタ装置１３により上下に図示しない例えば鋼製セグメントをセグメントリングと同形体を覆工していく。鋼製セグメントは図示しない連結セグメントを上下方向にスライド動作可能に組み込んだものである。
【００２３】
続いて、後方作業台１４において、シールド機が進行するに伴いシールドテール（シール）１１から放出された（地山に残置された）時点で、即時に上下の連結セグメント押込装置１６の油圧ジャッキの伸張動作によって、上下の例えば鋼製セグメント内から連結セグメントを掘削部分拡幅部に押し込んでいく。
以上の部分拡幅部掘削を伴う掘進及び覆工は所定区間の設計長に到達するまで継続して行われる。
【００２４】
そして、合流部・分流部の設計長に到達した時点で、上下の拡幅用コピーカッタ２１をスキンプレート１内にそれぞれ格納して、通常の掘進を行うとともに、例えば鋼製セグメントを用いない通常のセグメントだけを組立ててセグメントリングをもってトンネルを覆工していく。
【００２５】
以上の部分拡幅部掘削を伴う掘進及び覆工は、図４に示すように、同様構成で例えばサイズが大小異なるシールド機を用いて、本線トンネルの隣にランプトンネルを並べて施工する。
こうして、覆工の完了した当該拡幅区間において、覆工トンネル内部より、本線トンネルとランプトンネルの間において、上下の地山に対して薬液注入工を施す。
次に、上下の薬液注入工において、本線トンネル及びランプトンネルの連結セグメントの間に長尺鋼管フォアパイリングによるアーチ状の支保工を施工する。
そして、本線トンネル及びランプトンネルの間において、上下の支保工間の地山を掘削する。
【００２６】
次に、本線トンネル及びランプトンネルの連結セグメントにわたって鋼殻を設置するとともに、その鋼殻内へのコンクリート打設工を施工する。
その後、本線トンネル及びランプトンネルのセグメントリングの互いに隣接するセグメントを撤去して、図示のように、本線トンネルとランプトンネルを横方向に連続させる。
こうしてシールドトンネルの合流部・分流部の施工を終える。
【００２７】
なお、以上の実施形態においては、本線トンネルとランプトンネルの例えば合流部・分流部等の構築としたが、本発明はこれに限定されるものではなく、非常駐車帯等の任意の所望する拡幅部の施工であっても良い。
また、実施形態では、泥水式シールドとしたが、土圧式シールドであっても良く、その他、シールド機の具体的な細部構造等についても適宜に変更可能であることは勿論である。例えば可動遮断壁を隔壁の直後位置に設けても良い。
【図面の簡単な説明】
【００２８】
【図１】本発明を適用した一実施形態の構成を示すもので、シールド機の前面カッタ及びコピーカッタを示した正面図である。
【図２】図１のシールド機の縦断側面図である。
【図３】コピーカッタによる拡幅用空洞部の掘削を示す作用説明図である。
【図４】二台のシールド機を用いて行うコピーカッタによる拡幅用空洞部の掘削を示す概略斜視図である。
【符号の説明】
【００２９】
１  本体周面
５  カッタ
６  拡幅用コピーカッタ
２１  可動遮断壁
２２  遮断壁駆動装置
２３  滑材・高圧水注入管
２４  滑材・高圧水注入管
２５  充填材注入管
【図１】
0004652254.tif 000002
【図２】
0004652254.tif 000003
【図３】
0004652254.tif 000004
【図４】
0004652254.tif 000005